(57)【要約】【課題】スイングガイド面によって理想のスイングプレーンをイメージさせるとともに、実際のスイングの軌道が、理想のスイングプレーンから外れてスイング矯正具に衝突若しくは接触した際の衝撃力を緩和して、ゴルフクラブやスイング矯正具の損傷を防止することを課題とする。【解決手段】プレーヤー（Ｐ）の足下前方に設置される可撓性材料によって形成された本体２を備え、この本体の上部には、理想のスイング方向、および、前記プレーヤーの足位置の目安となるガイドラインＧが設けられ、前記本体の、前記プレーヤーが位置する側と反対側の部位には、前記ガイドラインと平行で、かつ、前記ゴルフクラブのライ角に合わせて傾斜させられたスイングガイド面Ｓが設けられていることを特徴とする。
2016002028.tif 000002
【特許請求の範囲】
【請求項１】
ゴルフクラブのスイングの練習時に用いられて、前記ゴルフクラブのスイング軌道を矯正するスイング矯正具であって、プレーヤーの足下前方に設置される可撓性材料によって形成された本体を備え、この本体の上部には、理想のスイング方向、および、前記プレーヤーの足位置の目安となるガイドラインが設けられ、前記本体の、前記プレーヤーが位置する側と反対側の部位には、前記ガイドラインと平行で、かつ、前記ゴルフクラブのライ角に合わせて傾斜させられたスイングガイド面が設けられていることを特徴とするゴルフのスイング矯正具。
【請求項２】
前記本体が、可撓性材料によって中空状に形成されていることを特徴とする請求項１に記載のゴルフのスイング矯正具。
【請求項３】
前記本体には、その内部への気体の吸排気を行なう通気口が設けられ、この通気口に、この通気口の開閉をなす開閉部材が設けられていることを特徴とする請求項２に記載のゴルフのスイング矯正具。
【請求項４】
。
前記本体が、マット状に形成されているとともに、その面内に直線状の折曲部が設けられ、この折曲部において山折りに折曲されることにより、２つのスイングガイド面を形成するようになされていることを特徴とする請求項２または請求項３に記載のゴルフのスイング矯正具。
【請求項５】
前記２つのスイングガイド面の下端部間に、これらの下端部間を相互に連結して、前記２つのスイングガイド面間の挟み角を固定する連結部材が設けられていることを特徴とする請求項４に記載のゴルフのスイング矯正具。
【請求項６】
前記連結部材が、前記両スイングガイド面の下端部間の間隔を調整して、これらの挟み角を調整するようになされていることを特徴とする請求項５に記載のゴルフのスイング矯正具。
【請求項７】
前記スイングガイド面には、このスイングガイド面から垂直方向に突出し、その突出端部が前記スイングガイド面と平行となされた一対のスイングガイド片が、前記ガイドライン方向に間隔をおいて設けられていることを特徴とする請求項１ないし請求項６の何れかに記載のゴルフのスイング矯正具。
【発明の詳細な説明】
【技術分野】
【０００１】
本発明は、ゴルフクラブのスイング練習時に用いられて、そのスイング軌道を矯正するようにしたゴルフのスイング矯正具に関するものである。
【背景技術】
【０００２】
一般に、ゴルファーは、ボールを、理想的な弾道で安定して打つことを目的として練習を行なっている。【０００３】
ボールを理想的な弾道で打つためには、このボールを打つゴルフクラブのスイングの軌道を、使用クラブやショットの種類（たとえば、アプローチショットやバンカーショット、あるいは、ロブショット等）に応じた正しいスイングプレーンに沿わせる必要がある。【０００４】
ところで、特に初心者や中級者にあっては、自身のスイングの軌道と理想のスイングプレーンとのずれを確認することは、極めて難しい。【０００５】
このような問題点に対処すべく従来では、たとえば、特許文献１に示されるような技術が提案されている。【０００６】
この技術は、プレーヤーの足位置の前方に、使用するゴルフクラブのライ角に合わせて傾斜させられた平面板からなるガイドプレートを設置し、前記クラブシャフトが前記ガイドプレートに沿って平行移動するようにスイングを行なわせることにより、理想のスイングプレーンを会得させるようにした矯正具に関するものである。
【先行技術文献】
【特許文献】
【０００７】
【特許文献１】特開２００７−６１４７８号公報
【発明の概要】
【発明が解決しようとする課題】
【０００８】
ところで、前述した従来の技術においては、なお、次のような改善すべき問題点が残されている。【０００９】
すなわち、前記ガイドプレートは、そのスイング方向の長さが、プレーヤーのスタンス幅にほぼ等しく設定されており、プレーヤーのスイングの軌道が、理想のスイングプレーンからずれた場合、スイング中のクラブシャフトが前記ガイドプレートに衝突若しくは接触するおそれがある。【００１０】
スイング矯正具は、スイング軌道が、理想的なスイングプレーン上にあることを確認するために用いられることはもちろんであるが、むしろ、理想的なスイングプレーンからずれているスイング軌道を矯正するために用いられることが多い。【００１１】
したがって、この種の矯正具は、前述したガイドプレートとクラブシャフトとが衝突若しくは接触することを前提としなければならないが、このような衝突若しくは接触は、前記ゴルフクラブや前記ガイドプレートに損傷を与え、また、プレーヤーに衝撃力を与えてしまう原因ともなり得るので、その対策が必要である。【００１２】
本発明は、このような従来の問題点に鑑みてなされたもので、ゴルフクラブのスイング時に、クラブシャフトの移動を面によって案内するようにしたスイング矯正具において、スイング中に、前記ゴルフクラブとスイング矯正具とが衝突若しくは接触した場合にあっても、その衝撃を緩和してこれらの損傷を抑制し、プレーヤーが安心して練習できるスイング矯正具を提供することを解決課題とする。
【課題を解決するための手段】
【００１３】
本発明のゴルフのスイング矯正具は、前述した課題を解決するために、ゴルフクラブのスイングの練習時に用いられて、前記ゴルフクラブのスイング軌道を矯正するスイング矯正具であって、プレーヤーの足下前方に設置される可撓性材料によって形成された本体を備え、この本体の上部には、理想のスイング方向、および、前記プレーヤーの足位置の目安となるガイドラインが設けられ、前記本体の、前記プレーヤーが位置する側と反対側の部位には、前記ガイドラインと平行で、かつ、前記ゴルフクラブのライ角に合わせて傾斜させられたスイングガイド面が設けられていることを特徴する。【００１４】
本発明のゴルフのスイング矯正具は、プレーヤーの足下前方に設置されて使用されるが、プレーヤーは、その両足が、前記本体の上部に設けられたガイドラインに沿うように、かつ、グリップしたゴルフクラブのクラブシャフトが前記本体のスイングガイド面と平行となるように、その足位置、すなわち、スタンスを決定してアドレスを決定する。【００１５】
プレーヤーは、決定されたアドレスを維持しながら、前記本体の上部に設けられているガイドラインを目安にしてスイングを行なうのであるが、そのスイングの軌道が、理想的なスイングプレーン上にある場合には、前記クラブシャフトが、前記本体のスイングガイド面に沿って移動し、ゴルフクラブが抵抗なしに振り抜かれる。【００１６】
ここで、スイング中にプレーヤーが起き上がり、そのスイングの軸が上方へずれ、そのスイングプレーンが鉛直方向にずれた場合にも、前記クラブシャフトと前記本体との接触は起こらず、コルフクラブが抵抗なしに振り抜かれることがある。【００１７】
このようなスイングであると、プレーヤーは、理想のスイングをしたと勘違いする場合が想定されるため、これを防止するために、好ましくは、前記決定されたアドレスにおけるゴルフボールのインパクトゾーンにゴルフボールをおき、このゴルフボールが打ち出されたか否かによって、理想的なスイングであるか否かを認知させるようにする。【００１８】
一方、スイングのテイクバック時に、その軌道が、理想のスイングプレーンよりも内側に向かう軌道である場合、また、ダウンスイング時に、その軌道が理想のスイングプレーンよりも内側から来る軌道、すなわち、前記ガイドラインと交差する軌道である場合にあっては、前記ゴルフクラブのヘッド若しくはシャフトが前記本体に衝突若しくは接触させられる。
これによって、プレーヤーに、理想のスイングプレーンから外れたスイングを行なっていることを認知させる。【００１９】
また、ダウンスイング時に、理想のスイングプレーンの外側からインパクトゾーンに入る軌道、すなわち、前記ガイドラインと交差する軌道のダウンスイングである場合にあっても、前記ゴルフクラブのヘッド若しくはシャフトが前記本体に衝突若しくは接触させられることにより、プレーヤーに理想のスイングから外れたスイングを行なっていることを認知させる。【００２０】
そして、前述したように、理想のスイングプレーンから外れたスイングを行なって、ゴルフクラブが前記本体に衝突若しくは接触した場合、前記本体が可撓性材料によって形成されていることから、この本体が容易に変形し、前述した衝突や接触時の衝撃力が緩和されて、前記本体やゴルフクラブの損傷が防止されるとともに、プレーヤーへ加わる衝撃力も緩和することができる。【００２１】
そして、前記本体を可撓性材料によって中空状に形成することができる。
このような構成とすることにより、可撓性材料の変形とともに内部気体の収縮によって、前述したゴルフクラブの衝突若しくは接触時の衝撃力を吸収することができ、その衝撃力吸収効果を高めることができる。【００２２】
また、前記本体が変形させられた後、その形状が、内部気体の圧力によって、迅速に元の形状に戻される。【００２３】
本発明のゴルフのスイング矯正具にあっては、前記本体に、その内部への気体の吸排気を行なう通気口を設け、この通気口に、この通気口の開閉をなす開閉部材を設けた構成とすることができる。【００２４】
このような構成とすることにより、使用時にあっては、前記通気口から本体内に気体を充填してスイング矯正具の形状とし、使用後にあっては、前記通気口から本体内の気体を排気しつつ、前記本体をその可撓性を利用して減容することができ、使用後の取り扱いや持ち運びを容易にすることができる。【００２５】
また、前記本体をマット状に形成するとともに、その面内に直線状の折曲部を設けておき、この折曲部において山折りに折曲することにより、２つのスイングガイド面を形成するようにすることもできる。【００２６】
このような構成とすることにより、前記本体の内容積を小さくして、使用状態とする膨張時に必要な給気量を少なくし、また、収納状態とする減容時における排気量を少なくして、前記各状態とするまでの時間を短縮することができる。【００２７】
前記２つのスイングガイド面の下端部間に、これらの下端部間を相互に連結して、前記２つのスイングガイド面間の挟み角を固定する連結部材を設けておくようにすることもできる。【００２８】
このような構成とすることにより、山形に折曲された本体の折れ角が拡大されることを防止して、前記スイングガイド面の角度が変化することを防止することができる。【００２９】
前記連結部材を、前記両スイングガイド面の下端部間の間隔を調整して、これらの挟み角、すなわち、前述した折れ角を調整できるような構成とすることにより、前記スイングガイド面と接地面との角度を、使用するゴルフクラブのライ角に合わせることができ、適切なスイングガイド面を形成することができる。【００３０】
さらに、前記スイングガイド面に、このスイングガイド面から垂直方向に突出し、その突出端部が前記スイングガイド面と平行となされた一対のスイングガイド片を、前記ガイドライン方向に間隔をおいて設けることもできる。【００３１】
このような構成とすることにより、前記両スイングガイド片によって、理想的なスイングプレーンを形成するとともに、実際のスイングプレーンがずれた際に、ゴルフクラブと前記本体との衝突若しくは接触を、前記スイングガイド片において行なわせる。【００３２】
そして、前記スイングガイド片が幅狭に形成されているので、前述した衝突若しくは接触が生じた際に、前記スイングガイド片が容易に撓むことにより、その衝撃力が大幅に軽減される。
【発明の効果】
【００３３】
本発明のゴルフのスイング矯正具によれば、本体に形成されているスイングガイド面によって理想のスイングプレーンをイメージさせるとともに、実際のスイングの軌道が、理想のスイングプレーンから外れてスイング矯正具に衝突若しくは接触した際の衝撃力を緩和して、ゴルフクラブやスイング矯正具の損傷を防止することができる。
【図面の簡単な説明】
【００３４】
【図１】本発明の一実施形態を示す斜視図である。
【図２】本発明の一実施形態を示すもので、図１のii−ii線矢視断面図である。
【図３】本発明の一実施形態を示すもので、図１のiii−iii線矢視断面図である。
【図４】本発明の一実施形態を示すもので、使用状態を示す側面図である。
【図５】本発明の一実施形態を示すもので、使用状態を示す概略平面図である。
【図６】本発明の一実施形態を示すもので、アプローチショット時の使用状態を示す平面図である。
【図７】本発明の一実施形態を示すもので、ロブショットやバンカーショット時の使用状態を示す平面図である。
【図８】本発明の一実施形態を示すもので、収納状態を示す側面図である。
【図９】本発明の他の実施形態を示す斜視図である。
【図１０】図９の縦断面図である。
【図１１】本発明の他の実施形態を示す斜視図である。
【図１２】本発明の他の実施形態を示す斜視図である。
【発明を実施するための形態】
【００３５】
以下、本発明の一実施形態について、図１ないし図８を参照して説明する。
図１において、符号１は、本実施形態に係わるゴルフのスイング矯正具を示す。
【００３６】
このスイング矯正具１は、プレーヤー（Ｐ）の足下前方に設置される可撓性材料によって中空状に形成された本体２を備え、この本体２の上部には、理想のスイング方向、および、前記プレーヤーＰの足位置の目安となるガイドラインＧが設けられ、前記本体２の、前記プレーヤーＰが位置する側と反対側の部位には、前記ガイドラインＧと平行で、かつ、ゴルフクラブ（Ｃ）のライ角に合わせて傾斜させられたスイングガイド面Ｓが設けられている。
【００３７】
前記可撓性材料としては、たとえば、ポリ塩化ビニル樹脂、ポリエチレン樹脂、ポリプロピレン樹脂、ポリエステル樹脂、ナイロン樹脂、あるいは、シリコーン樹脂等の軟質プラスチックが用いられる。
【００３８】
本実施形態においては、前記本体２はマット状に形成されているとともに、その中間部に設けられた折曲部２ａにおいて山折り状に折り曲げられて一対の傾斜面を形成するようになされ、かつ、これらの傾斜面のそれぞれの下端部が、面ファスナーからなる連結部材３によって連結されていることにより、前記傾斜面間の挟角が固定されるようになっている。
【００３９】
このように略三角形状に折り曲げられた前記本体の一方の傾斜面が前記スイングガイド面Ｓとなされ、また、このスイングガイド面Ｓの上縁部が前記ガイドラインＧとなされている。
【００４０】
前記連結部材３は、前述した面ファスナーを構成する連結片３ａと、前記本体２の両傾斜面に取り付けられて、前記連結片３ａの各端部が係脱させられる係止片３ｂとによって構成され、本実施形態においては、前記連結片３ａが一対設けられている。
【００４１】
また、前記連結部材３は、前記両傾斜面の端部間の間隔の広がりを防止することによって、これらの挟角を広がりを防止するようになされているとともに、前記両傾斜面の下端部間の間隔を調整することによって、前記傾斜面と設置面との角度を調整するようになっている。
【００４２】
これによって、前記スイングガイド面Ｓと設置面との角度を、使用するゴルフクラブＣのライ角に合わせるようになっている。
【００４３】
また、本実施形態においては、前記本体２の、他方の傾斜面には、この他方の傾斜面から垂直方向に突出し、その突出端部が前記他方の傾斜面と平行となされた一対のスイングガイド片４が、前記ガイドラインＧ方向に間隔をおいて設けられている。
【００４４】
そして、本実施形態においては、前記各スイングガイド片４の突出端部が、前記傾斜面と平行となされていることにより、これらの突出端部を含んで形成される仮想平面も前記傾斜面と平行となされ、この仮想平面が、前記一方の傾斜面によって形成される前記スイングガイド面Ｓと同様のスイングガイド面Ｓとなされている。
【００４５】
さらに、本実施形態においては、図３に示すように、前記本体２の、前記傾斜面およびこの傾斜面と平行な面、および、前記スイングガイド片４の突出端部が厚肉に形成されて、ある程度の剛性が与えられ、その他の面が薄肉に形成されてある程度の弾性が与えられている。
【００４６】
したがって、前記本体２の内部に気体を充填して形状を整えた際に、前記傾斜面とこの傾斜面と平行な面、および、前記スイングガイド片４の突出端部が平面状となされるようになっており、また、前記傾斜面の上縁に角が形成されて、この角部が前記ガイドラインＧとして用いられる。
【００４７】
また、前記本体２の内側の面の任意箇所には、図２および図３に示すように、その内部への気体の吸排気を行なう通気口２ｃが形成されているとともに、この通気口２ｃに、この通気口２ｃの開閉をなす開閉部材５が設けられている。
【００４８】
この開閉部材５によって前記通気口２ｃを開放して、前記本体２内に気体を充填することによって本実施形態に係わるスイング矯正具１の外形を整えるとともに、前記通気口２ｃを閉じることによってその形状を維持し、また、前記通気口２ｃを開放して前記本体２内の気体を排出することにより、前記本体２の薄肉部の可撓性を利用してこの本体２を減容させて折り畳みを可能にする。
【００４９】
このように構成された本実施形態に係わるゴルフのスイング矯正具１は、図４および図５に示すように、プレーヤーＰの足下前方に設置されて使用されるが、まず、前記連結部材３の調整により、前記スイングガイド面Ｓと設置面との角度を、スイング練習に用いられるクラブのライ角に調整する。
【００５０】
このように、一方のスイングガイド面Ｓの角度を調整すると、他方のスイングガイド面Ｓ（スイングガイド片４によって形成されるスイング外面Ｓ）も同様に前述したライ角に合わせて調整される。
【００５１】
そして、図５に示すように、前記スイング矯正具１は、そのガイドラインＧが、ゴルフボールを打ち出す方向（ターゲットラインＴ）と平行となるように設置される。
【００５２】
プレーヤーＰは、図５に示すように、その両足が、前記本体の上部に設けられたガイドラインＧに沿うように、かつ、グリップしたゴルフクラブＣのクラブシャフトＤが前記本体のスイングガイド面と平行となるように、その足位置、すなわち、スタンスを決定してアドレスを決定する。
【００５３】
プレーヤーＰのアドレスが決定されると、そのアドレスに応じて、ゴルフクラブＣを振る方向をイメージする仮想のプレーン（以下、ガイドプレーンと称す）Ｌが、図４に示すように形成される。
【００５４】
このように、前記スイング矯正具１の設置と、プレーヤーＰのセットアップが完了した時点で、前記ターゲットラインＴ、ガイドラインＧ、ガイドプレーンＬの水平方向が、図５に示すように、相互に平行となされる。
【００５５】
また、前記スイング矯正具１は、プレーヤーＰが初級者である場合には、前記スイングガイド片４が設けられている側が前記クラブシャフトＤに対峙させられるように設置され、このスイングガイド片４に合わせてアドレスをとり、上級者である場合には、他方のスイングガイド片４のないスイングガイド面Ｓが前記クラブシャフトＤに対峙させられるように設置される。
【００５６】
そして、プレーヤーＰは、前記本体２の上部に設けられているガイドラインＧを目安にしてスイングを行なうのであるが、その実際のスイングプレーンＲが、理想的なスイングプレーン（ガイドプレーンＬと平行なプレーン）上にある場合には、前記クラブシャフトＤが、前記本体２のスイングガイド面Ｓ（スイングガイド片４の突出端）に沿って移動し、ゴルフクラブＣが抵抗なしに振り抜かれる。
【００５７】
ここで、スイング中にプレーヤーＰが起き上がり、その実際のスイングプレーンＲの軸が鉛直方向へずれ、そのスイングプレーンＲが水平面に近づく方向にずれた場合にも、前記クラブシャフトＤと前記本体２との接触は起こらず、コルフクラブＣが抵抗なしに振り抜かれることがある。
【００５８】
このようなスイングであると、プレーヤーは、理想のスイングをしたと勘違いする場合が想定されるため、これを防止するために、好ましくは、前記決定されたアドレスにおけるゴルフボールのインパクトゾーンにゴルフボールをおき、このゴルフボールが打ち出されたか否かによって、理想的なスイングであるか否かを認知させるようにする。
【００５９】
一方、スイングのテイクバック時に、その軌道が、理想のスイングプレーンよりも内側に向かう軌道である場合、また、ダウンスイング時に、その軌道が理想のスイングプレーンよりも内側から来る軌道、すなわち、前記ガイドラインと交差する軌道である場合にあっては、前記ゴルフクラブＣのヘッド若しくはクラブシャフトＤが前記本体２に衝突若しくは接触させられる。
これによって、プレーヤーＰに、理想のスイングプレーンから外れたスイングを行なっていることを認知させることができる。
【００６０】
また、ダウンスイング時に、理想のスイングプレーンの外側からインパクトゾーンに入る軌道、すなわち、前記ガイドラインＧと交差する軌道のダウンスイングである場合にあっても、前記ゴルフクラブＣのヘッド若しくはクラブシャフトＤが前記本体２に衝突若しくは接触させられることにより、プレーヤーに理想のスイングから外れたスイングを行なっていることを認知させることができる。
【００６１】
このような矯正機能により矯正された実際のスイングプレーンＲは、ガイドプレーンＬに平行な理想的なスイングプレーンとなり、インパクト前に、ゴルフクラブＣが寝て入ったり、インサイドから入るといった軌道が修正され、前記ゴルフクラブＣが立って下りてきて、ダウンブローのスイングが実現され、また、シャンクが抑制される。
【００６２】
そして、前述したように、理想のスイングプレーンから外れたスイングを行なって、ゴルフクラブが前記本体に衝突若しくは接触した場合、前記本体２が可撓性材料によって中空状に形成されていることから、前記本体２が容易に撓み、その衝撃力が緩和されて、前記本体２やゴルフクラブＤの損傷が防止されるとともに、プレーヤーＰへ加わる衝撃力も緩和することができる。
【００６３】
ここで、初心者の場合、実際のスイングプレーンが理想的なスイングプレーンから外れることが多く、また、そのずれが大きいことに起因して、前記本体２との接触等における衝撃も大きくなりやすい。
【００６４】
しかしながら、前述したように、初心者に、前記突出したスイングガイド片４側のスイングガイド面Ｓを使用させることにより、前記本体２と前記クラブシャフトＤとの衝突や接触を前記スイングガイド片４において行なわせ、前述した衝撃を和らげることができる。
【００６５】
これは、前記スイングガイド片４は、前記本体２よりも大幅に幅狭に形成されて、前記クラブシャフトＤとの衝突や接触時に容易に撓み、前記クラブシャフトＤの通過を円滑に許容することによる。
【００６６】
図６は、本実施形態のスイング矯正具１を用いて、アプローチショット時の理想のスイングプレーンを会得する際の使用方法を示すものである。
【００６７】
本使用方法においては、前記スイング矯正具１を、そのガイドラインＧがターゲットラインＴに対してオープン（左斜め方向に開いた方向）に置き、プレーヤーＰは、前記クラブシャフトＤを前記スイングガイド片４に合わせるとともに、両足が前記ガイドラインＧに平行となるようにアドレスし、ゴルフボールＢは右足寄りに置く。
【００６８】
これより、前記スイングガイド片４の突出端に沿ってスイングを行なうことにより、アプローチショットが行なわれる。
このようなスイングにより、実際のスイングプレーンＲが、ガイドプレーンＧと平行な理想的なスイングプレーンとなり、理想的なスイングプレーンよりも内側からスイングすることによる、ボールの手前に打ち込む、いわゆる、ザックリや、アプローチシャンクを生じることの少ないスイングが会得できる。
【００６９】
図７は、本実施形態のスイング矯正具１を用いて、ロブショットやバンカーショット時の理想のスイングプレーンを会得する際の使用方法を示すものである。
【００７０】
本使用方法においては、前記スイング矯正具１を、そのガイドラインＧがターゲットラインＴに対してオープン（左斜め方向に開いた方向）に置き、プレーヤーＰは、前記クラブシャフトＤを前記スイングガイド片４に合わせるとともに、両足が前記ガイドラインＧに平行となるようにアドレスし、ゴルフボールＢは左足寄りに置く。
【００７１】
これより、バンカーショットにあっては、ゴルフクラブＣのフェースは、ターゲットラインＴより右に開いて構え、前記スイングガイド片４の突出端に沿ってスイングを行ない、前記ゴルフボールＢの手前の砂に当て、また、ロブショットにあっては、ゴルフクラブＣのソールを滑らせるようにスイングを行なう。
【００７２】
このようなスイングにより、実際のスイングプレーンＲが、ガイドプレーンＧと平行な理想的なスイングプレーンとなる。
【００７３】
このような本実施形態に係わるゴルフのスイング矯正具１は、使用後に、前記開閉部材５によって前記通気口２ｃを開放し、前記本体２内の気体を排気しつつ、前記本体２をその可撓性を利用して減容し、図８に示すように折り畳むことができ、使用後の取り扱いや持ち運びを容易にする。
【００７４】
なお、前記実施形態において示した各構成部材の諸形状や寸法等は一例であって、設計要求等に基づき種々変更可能である。
【００７５】
たとえば、図９に示すように、本体２０を、三角柱状に形成することも可能である。
この場合、設置面となる側面とスイングガイド面Ｓとなる側面部分を、図１０に示すように、肉厚とすることが好ましい。
これは、前記スイングガイド面Ｓを平面にするとともに、設置時の安定性を確保するためである。
【００７６】
また、図１１および図１２に示すように、本体３０を四角柱状に形成し、その一つの角部を長さ方向に切り欠いた形状として、その切り欠いた部分をスイングガイド面Ｓとしてもよい。
【００７７】
さらに、前記本体２、２０、３０が少々の衝撃力によっては動かないようにするために、これらの本体２、２０，３０内に水などの液体を適量充填しておくこともでき、図１に示す実施形態においては、前記本体２の内側に、液体が充填されたペットボトル等を、前記連結部材３を抑えるように配置することもできる。
【００７８】
そして、前記本体２、２０、３０を形成する可撓性材料として、前述した軟質プラスチック以外に、発泡プラスチックや段ボール、薄肉の硬質プラスチックプレート、あるいは、シリコン、ゴム等を用いることが可能であり、また、その形状も、使用する可撓性材料に応じて、その可撓性を確保できる範囲で、中実のプレートとしたり、網目状のプレートとすることも可能である。
【符号の説明】
【００７９】
１  スイング矯正具
２  本体
２ａ  折曲部
２ｃ  通気口
３  連結部材
３ａ  連結片
３ｂ  係止片
４  スイングガイド片
５  開閉部材
２０  本体
３０  本体
Ｂ  ゴルフボール
Ｃ  ゴルフクラブ
Ｄ  クラブシャフト
Ｇ  ガイドライン
Ｌ  ガイドプレーン
Ｐ  プレーヤー
Ｒ  実際のスイングプレーン
Ｓ  スイングガイド面
Ｔ  ターゲットライン
【図１】
2016002028.tif 000003
【図２】
2016002028.tif 000004
【図３】
2016002028.tif 000005
【図４】
2016002028.tif 000006
【図５】
2016002028.tif 000007
【図６】
2016002028.tif 000008
【図７】
2016002028.tif 000009
【図８】
2016002028.tif 000010
【図９】
2016002028.tif 000011
【図１０】
2016002028.tif 000012
【図１１】
2016002028.tif 000013
【図１２】
2016002028.tif 000014
【国際調査報告】
2016002028.tif 000015
2016002028.tif 000016
2016002028.tif 000017
2016002028.tif 000018